【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
画像形成装置であって、
外部装置と通信可能な通信手段と、
前記通信手段と通信可能に接続され、前記通信手段から送信されたデータを処理する制御手段と、
前記制御手段に電力が供給される第１電力状態において、前記通信手段と前記外部装置とを接続するケーブルが抜けている場合、前記画像形成装置を前記制御手段への電力供給を停止する第２電力状態に移行する電源制御手段と、
を備えることを特徴とする画像形成装置。
【請求項２】
前記電源制御手段は、前記制御手段に電力が供給される第１電力状態において、前記通信手段と前記外部装置とを接続するケーブルが接続されている場合、前記画像形成装置を前記第１電力状態に維持する、ことを特徴とする請求項１に記載の画像形成装置。
【請求項３】
ユーザの操作の有無を判定する判定手段をさらに備え、
前記電源制御手段は、前記制御手段に電力が供給される第１電力状態において、前記判定手段が、ユーザの操作があると判定した場合、前記画像形成装置を前記第１電力状態から前記第１電力状態より消費電力の大きい第３電力状態に移行する、ことを特徴とする請求項１又は２に記載の画像形成装置。
【請求項４】
印刷を行う印刷手段と、
原稿の読み取りを行う読取手段と、をさらに備え、
前記第３電力状態は、前記印刷手段および前記読取手段の少なくとも一方に、電力が供給される状態であり、前記第１電力状態は、前記印刷手段および前記読取手段の少なくとも一方への電力の供給が停止される状態である、ことを特徴とする請求項３に記載の画像形成装置。
【請求項５】
前記通信手段と前記外部装置とを接続するケーブルが抜けているか否かを判断する判断手段をさらに備える、ことを特徴とする請求項１乃至４の何れか１項に記載の画像形成装置。
【請求項６】
前記判断手段は、前記通信手段がネットワークとのリンクが無いと判断した場合には、前記ケーブルが抜けていると判断する、ことを特徴とする請求項５に記載の画像形成装置。
【請求項７】
前記判断手段は、前記通信手段がネットワークとの通信が無いと判断した場合には、前記ケーブルが抜けていると判断する、ことを特徴とする請求項５に記載の画像形成装置。
【請求項８】
前記通信手段は、ＬＡＮを介して前記外部装置と通信を行うネットワークインターフェースである、ことを特徴とする請求項１乃至７の何れか１項に記載の画像形成装置。
【請求項９】
前記通信手段は、ＵＳＢインターフェースである、ことを特徴とする請求項１乃至７の何れか１項に記載の画像形成装置。
【請求項１０】
前記通信手段は、モデムである、ことを特徴とする請求項１乃至７の何れか１項に記載の画像形成装置。
【請求項１１】
外部装置と通信可能な通信手段と、前記通信手段と通信可能に接続され、前記通信手段から送信されたデータを処理する制御手段と、を備える画像形成装置の制御方法であって、
前記制御手段に電力が供給される第１電力状態において、前記通信手段と前記外部装置とを接続するケーブルが抜けている場合、前記画像形成装置を前記制御手段への電力供給を停止する第２電力状態に移行する、ことを特徴とする画像形成装置の制御方法。
【請求項１２】
画像形成手段を有する第１のブロックと、
外部装置との通信を行う通信手段と、前記第１のブロックを制御する第１の制御手段とを有する第２のブロックと、
第２の制御手段を有する第３のブロックと、
前記第１のブロック、前記第２のブロック、前記第３のブロックに電力を供給する電力供給手段と、
前記第１の制御手段からの信号により前記電力供給手段から前記第１のブロックへの電力を供給状態又は遮断状態に切り換える第１の切換手段と、
前記第２の制御手段からの信号により前記電力供給手段から前記第２のブロックへの電力を供給状態又は遮断状態に切り換える第２の切換手段と、を有し、
前記第１の制御手段は、前記第１〜３のブロックに電力供給される通常状態で、第１の条件を満たす場合に、前記第１の切換手段を遮断状態に切り換え、また、前記第１のブロックへの電力が遮断され且つ前記第２，３のブロックに電力供給される第１の省電力状態で、第２の条件を満たした場合に、前記第２の制御手段に、前記第１，２のブロックへの電力が遮断され且つ前記第３のブロックに電力供給される第２の省電力状態への移行を指示し、
前記第２の制御手段は、前記第１の制御手段からの前記第２の省電力状態への移行指示に応じて前記第２の切換手段を遮断状態に切り換える、
ことを特徴とする画像形成装置。
【請求項１３】
前記第１の条件を満たす場合とは、所定時間以上、前記通信手段による外部装置との通信、及び、前記第２の制御手段からの通信が検出されない場合であり、
前記第２の条件を満たす場合とは、前記通信手段による外部装置との通信が検出されない場合である、ことを特徴とする請求項１２に記載の画像形成装置。
【請求項１４】
第１の省電力モード、又は、前記第１の省電力モードより当該画像形成装置の消費電力を抑えた動作を行う第２の省電力モードのいずれかを設定するための設定手段を有し、
前記第１の条件を満たす場合とは、所定時間以上、前記通信手段による外部装置との通信、及び、前記第２の制御手段からの通信が検出されない場合であり、
前記第２の条件を満たす場合とは、前記第２の省電力モードが設定されている場合である、ことを特徴とする請求項１２に記載の画像形成装置。
【請求項１５】
前記第１の制御手段は、前記第１の省電力状態で、前記通信手段による外部装置との通信、又は前記第２の制御手段との通信が検出された場合には、前記第１の切換手段を供給状態に切り換える、ことを特徴とする請求項１２乃至１４のいずれか１項に記載の画像形成装置。
【請求項１６】
前記通信手段による外部装置との通信が検出された場合とは、当該画像形成装置を宛先とするパケットを受信した場合である、ことを特徴とする請求項１３乃至１５のいずれか１項に記載の画像形成装置。
【請求項１７】
前記第２のブロックは、ユーザインタフェース手段を有するものであり、
前記第２の制御手段は、前記ユーザインタフェース手段からの操作を検出して前記第１の制御手段に通知するものであり、
前記第２の制御手段は、前記第２の省電力状態で、前記インタフェース手段からの操作を検出した場合には、前記第２の切換手段を供給状態に切り換える、ことを特徴とする請求項１２乃至１６のいずれか１項に記載の画像形成装置。
【請求項１８】
前記通信手段は、ネットワークインタフェースである、ことを特徴とする請求項１２乃至１７のいずれか１項に記載の画像形成装置。
【請求項１９】
前記通信手段は、コンピュータと周辺機器を接続するためのインタフェースである、ことを特徴とする請求項１２乃至１７のいずれか１項に記載の画像形成装置。
【請求項２０】
前記通信手段は、モデムである、ことを特徴とする請求項１２乃至１７のいずれか１項に記載の画像形成装置。
【請求項２１】
前記第１の切換手段は、前記電力供給手段と前記第１のブロックとの間に設けられた素子であり、
前記第２の切換手段は、前記電力供給手段と前記第２のブロックとの間に設けられた素子である、
ことを特徴とする請求項１２乃至２０のいずれか１項に記載の画像形成装置。
【請求項２２】
前記素子は、トランジスタであることを特徴とする請求項２１に記載の画像形成装置。 
【請求項２３】
画像形成手段を有する第１のブロックと、外部装置との通信を行う通信手段と、前記第１のブロックを制御する第１の制御手段とを有する第２のブロックと、第２の制御手段を有する第３のブロックと、前記第１のブロック、前記第２のブロック、前記第３のブロックに電力を供給する電力供給手段と、前記第１の制御手段からの信号により前記電力供給手段から前記第１のブロックへの電力を供給状態又は遮断状態に切り換える第１の切換手段と、前記第２の制御手段からの信号により前記電力供給手段から前記第２のブロックへの電力を供給状態又は遮断状態に切り換える第２の切換手段と、を有する画像形成装置の制御方法であって、
前記第１の制御手段が、前記第１〜３のブロックに電力供給されている通常状態で、第１の条件を満たす場合に、前記第１の切換手段を遮断状態に切り換える第１の切換ステップと、
前記第１の制御手段が、前記第１のブロックへの電力が遮断され且つ前記第２，３のブロックに電力供給されている第１の省電力状態で、第２の条件を満たした場合に、前記第２の制御手段に、前記第１，２のブロックへの電力が遮断され且つ前記第３のブロックに電力供給される第２の省電力状態への移行を指示する指示ステップと、
前記第２の制御手段が、前記第１の制御手段からの第２の省電力状態への移行指示に応じて前記第２の切換手段を遮断状態に切り換える第２の切換ステップと、
を有することを特徴とする画像形成装置の制御方法。
【手続補正２】
【補正対象書類名】明細書
【補正対象項目名】００１１
【補正方法】変更
【補正の内容】
【００１１】
本発明は、画像形成装置であって、外部装置と通信可能な通信手段と、前記通信手段と通信可能に接続され、前記通信手段から送信されたデータを処理する制御手段と、前記制御手段に電力が供給される第１電力状態において、前記通信手段と前記外部装置とを接続するケーブルが抜けている場合、前記画像形成装置を前記制御手段への電力供給を停止する第２電力状態に移行する電源制御手段と、を備えることを特徴とする。
また、本発明は、画像形成手段を有する第１のブロックと、外部装置との通信を行う通信手段と、前記第１のブロックを制御する第１の制御手段とを有する第２のブロックと、第２の制御手段を有する第３のブロックと、前記第１のブロック、前記第２のブロック、前記第３のブロックに電力を供給する電力供給手段と、前記第１の制御手段からの信号により前記電力供給手段から前記第１のブロックへの電力を供給状態又は遮断状態に切り換える第１の切換手段と、前記第２の制御手段からの信号により前記電力供給手段から前記第２のブロックへの電力を供給状態又は遮断状態に切り換える第２の切換手段と、を有し、前記第１の制御手段は、前記第１〜３のブロックに電力供給される通常状態で、第１の条件を満たす場合に、前記第１の切換手段を遮断状態に切り換え、また、前記第１のブロックへの電力が遮断され且つ前記第２，３のブロックに電力供給される第１の省電力状態で、第２の条件を満たした場合に、前記第２の制御手段に、前記第１，２のブロックへの電力が遮断され且つ前記第３のブロックに電力供給される第２の省電力状態への移行を指示し、前記第２の制御手段は、前記第１の制御手段からの前記第２の省電力状態への移行指示に応じて前記第２の切換手段を遮断状態に切り換える、ことを特徴とする。